(57)【要約】【目的】  婚礼、出産祝、快気祝、入進学祝、新築祝、お中元、お歳暮などに際して贈られる品物を被贈呈人に選択して貰うのに使用されるカタログであって、贈り主の誠意を伝えられ、被贈呈人の心に贈り主の思いを確りと焼き付けることのできるギフト用カタログの提供。【構成】  カタログ本体１を構成する表表紙２Ａの一部が開口部４として切り抜かれ、表表紙２Ａの裏側には贈り主からの挨拶状５が差し込まれる。挨拶状５には表表紙２Ａの開口部４に対応して贈り主に関係する所定の表示物５Ｂが施される。係る表示物５Ｂには、贈り主またはその家族あるいは贈り主の住居をうつした写真画が好適に選ばれる。【選択図】  図１
0003101615.tif 000002
【実用新案登録請求の範囲】
【請求項１】
贈り主から被贈呈人に贈られて被贈呈人が掲載品の中から所望の商品を選択して当該商品を指定業者に発注するための商品を掲載したギフト用カタログにおいて、その表表紙の一部が開口部として切り抜かれると共に、前記表表紙の裏側には贈り主からの挨拶状が差し込まれ、その挨拶状には前記開口部に対応して所定の表示物が施されることを特徴とするギフト用カタログ。
【請求項２】
開口部が表表紙の中央部に形成されることを特徴とする請求項１記載のギフト用カタログ。
【請求項３】
開口部に対応する挨拶状の表示物が、贈り主またはその家族あるいは贈り主の住居をうつした写真画である請求項１、又は２記載のギフト用カタログ。
【考案の詳細な説明】
【技術分野】
【０００１】
本考案は多数の商品を掲載したカタログに係わり、特に婚礼、出産祝、快気祝、入進学祝、新築祝、お中元、お歳暮、又は葬式、告別式などに際して贈られる品物を被贈呈人に選択して貰うのに使用されるギフト用カタログに関する。
【背景技術】
【０００２】
一般に、冠婚葬祭などに際しては式の出席者に御礼の品を贈ることが慣例である。例えば、結婚披露宴に際して、新郎新婦が選んだ特定の品物（引物）を列席者に渡すことが一般に広く行われている。しかし、贈り主が苦心して選んだ品物でも被贈呈人にとって必ずしも希望の品であるとは限らず、折角貰った品物も押し入れなどに蔵い込まれてしまうことがある。
【０００３】
そこで、贈り主が贈答の品を選択するのでなく、係る品物の選択、受け渡しをカタログを媒介して行うというシステムが普及している。
【０００４】
係るシステムは、多数の商品が掲載されたカタログを贈り主から被贈呈人に贈り、これを受け取った被贈呈人がカタログに掲載された商品の中から所望の商品を選択して当該商品を指定業者に発注するというものである（例えば、特許文献１）。
【０００５】
【特許文献１】実開平６−４９０６１号公報（実施例、図１）
【考案の開示】
【考案が解決しようとする課題】
【０００６】
然し乍ら、従来のギフト用カタログは表紙の内側に多数の商品を掲載した商品掲載用紙を綴じ込んだもので、市販されている雑誌類と変わらず、これを受け取った被贈呈人にとって所望の商品を選べる喜びはあっても、贈り主の誠意はなかなか伝わらない。
【０００７】
尚、特許文献１ではカタログの表紙に窓を形成しているが、その窓は表紙内に綴じられる返送用葉書（発注書）に対して表紙を開かずに管理用のマーキングを捺印できるようにしたものであり、しかも係る窓は目立たぬよう裏表紙の下部に形成される。
【０００８】
つまり、特許文献１のギフト用カタログ（商品カタログ）は、カタログ発行者の発行時に掛かる作業の手間を省く工夫をしたものであり、上記のような使用者側にとっての問題点は解消していない。
【０００９】
本考案は以上のような事情に鑑みて成されたものであり、その目的は贈り主の誠意を伝えられ、被贈呈人の心に贈り主の思いを確りと焼き付けることのできる新規なギフト用カタログを提供することにある。
【課題を解決するための手段】
【００１０】
本考案は上記目的を達成するため、贈り主から被贈呈人に贈られて被贈呈人が掲載品の中から所望の商品を選択して当該商品を指定業者に発注するための商品を掲載したギフト用カタログにおいて、その表表紙の一部が開口部として切り抜かれると共に、前記表表紙の裏側には贈り主からの挨拶状が差し込まれ、その挨拶状には前記開口部に対応して所定の表示物が施されることを特徴とする。
【００１１】
又、以上のようなギフト用カタログにおいて、開口部が表表紙の中央部に形成されるほか、開口部に対応する挨拶状の表示物が、贈り主またはその家族あるいは贈り主の住居をうつした写真画であることを特徴とする。
【考案の効果】
【００１２】
本考案のギフト用カタログによれば、表表紙に形成した開口部から所定の表示物が現れることから、被贈呈人に対して贈り主の誠意を伝えることができ、これを受け取った被贈呈人は係る表示物をみて贈り主の気持ちや近況を知り、贈り主に対する思いを好印象として心に深く刻むことができる。よって、贈り主と被贈呈人との親睦を深めるのに大いに役立つ。
【００１３】
又、使用者である贈り主や使用目的によって挨拶状を差し替えるだけで特定のギフト用カタログとすることができるので、カタログ自体をその都度特注品として作成する必要がなく、低コストにできる。
【考案を実施するための最良の形態】
【００１４】
以下、図面に基づいて本考案を詳しく説明する。図１は係るギフト用カタログの好適な態様を示した斜視概略図である。
【００１５】
図１において、１はカタログ本体であり、このカタログ本体１は表紙２の内側に複数枚の商品掲載用紙３と図示せぬ発注書を綴じ込んで構成される。尚、本例において、カタログ本体１はＢ５サイズとされるが、その大きさに特別制限はない。
【００１６】
係るカタログ本体の表紙２は厚手の合成紙などを折り込んだもので、相対向する表表紙２Ａと裏表紙２Ｂ、及び表表紙２Ａと裏表紙２Ｂとを繋ぐ背表紙２Ｃを形成する。尚、商品の掲載数などによって表紙２は一枚の枚葉紙を二つ折りにして背表紙２Ｃが省略されることもある。
【００１７】
特に、本考案において、表紙２それも表表紙２Ａにはその一部を切り抜いて成る開口部４が形成される。係る開口部４は表表紙２Ａの表面積に対して開度が３０〜６０％程度に設定される。特に、その開口位置は表表紙２Ａの上部や下部でもよいが、中央部であることが好ましい。その理由は開口部４に現れる後述の表示物が目に留まり易いからであり、しかも開口部４を表表紙２Ａの中央部に形成することにより、その縁が破断する虞れを防止することができる。尚、係る開口部は表紙内の視認性を有していればよく、これを透明なフィルムで閉鎖して差し支えない。
【００１８】
又、係る表紙の内側に綴じられる商品掲載用紙３には、その各ページに多数の商品を写し取った画像が印刷される。尚、掲載される商品には、例えば牛肉、メンタイコ、キムチ、ワイン、煮込みラーメンといった食品、指輪やネックレスといったジュエリー、時計、ライター、財布、傘、バッグ、化粧品、食器、家具、玩具、調理用具などがあり、それら各掲載商品の近隣には、公知のように発注に必要な商品名や商品番号などが記される。
【００１９】
一方、図１において、５はカタログ本体に添付される挨拶状であり、この挨拶状５にはカタログ本体１の使用目的によって種々の文字列５Ａが記される。係る文字列５Ａは贈り主の住所氏名ほか、婚礼、出産祝、快気祝、入進学祝、新築祝などに係る御礼文、又は日ごろのご支援、ご鞭撻に対する御礼文などであり、これは贈り主の直筆、あるいは予め作られた雛形から贈り主により選ばれる。又、挨拶状５に記される文字列５Ａとして、『カタログの中からお好きなものをお選び下さい』などの情報が記される。
【００２０】
特に、係る挨拶状５には、カタログ本体の表表紙に形成した開口部４に対応して、贈り主に関係する所定の表示物５Ｂが施される。そして、係る挨拶状５は表示物５Ｂの表示面を上にして表表紙２Ａの裏側に差し込まれる。尚、挨拶状５はその周縁が表紙２からはみ出さぬよう表紙２と同じ大きさか、又はそれより稍小さい大きさに設定される。
【００２１】
図２は、挨拶状を差し込んだカタログ本体の表面を示す。この図で明らかなように、挨拶状５を表表紙２Ａの裏側に差し込んだ状態において、挨拶状５に施した表示物５Ｂの領域が開口部４の領域に一致するようになっている。よって、開口部４には裏側の表示物５Ｂが現れ、表紙２を閉じたままの状態で外部から表示物５Ｂを視認することができる。
【００２２】
ここで、表示物５Ｂは贈り主直筆の文章や絵画（イラスト）、あるいは動物などの図柄でもよいが、好ましくは表示物５Ｂとして贈り主またはその家族あるいは贈り主の住居をうつした写真画が選定される。特に、係る表示物５Ｂは結婚祝にして新郎新婦、出産祝にして赤ちゃん、入進学祝にして子供、新築祝にしてその住居あるいは同住居を背景とした家族、香典返しにして生前の故人などを写したものであることが好ましい。尚、係る写真画にはデジタル記録されたものを挨拶状５に直接プリントしたもの、あるいはプリント写真を挨拶状５に貼り付けたものなどを含む。
【００２３】
次に、図３は挨拶状の一例を示す。係る挨拶状５は婚礼関連の例であり、その中央部には上記した開口部４に対応する表示物５Ｂとして、新郎新婦（贈り主）をうつした写真画がプリントされる。又、表示物５Ｂの近傍には文字列５Ａとして、例えば『時下、益々ご清栄の事とお喜び申し上げます。平素はなにかとお世話になり、また先日は格別なるお心くばりを頂き誠にありがたく心から御礼申し上げます。つきましては、ささやかでは御座いますが心ばかりの品をお贈りさせて頂きます。お品は貴方様のお好きなものをお選び頂ければ幸いです。とりあえず、お礼かたがたご挨拶申し上げます。』という挨拶文が記される。
【００２４】
ここで、以上のようなギフト用カタログを利用した贈答システムについて説明すれば、結婚披露宴や新築祝などに際して新郎新婦、施主などの主催者（贈り主）はギフト用カタログの発行者やこれに掲載される商品の取扱業者などに係るシステムを利用する旨注文する。注文を受けた業者はギフト用カタログの贈り主に対して挨拶状５に載せる文字列５Ａや表示物５Ｂの希望を聞き、これを印刷するなどしてから係る挨拶状５を予め作成されたカタログ本体１における表表紙２Ａの裏側に差し込んでギフト用カタログと成す。
【００２５】
そして、係るギフト用カタログを所定部数準備して、これを式の当日に引物として贈り主から出席者（被贈呈人）に贈る。当該ギフト用カタログを受け取った被贈呈人は、帰宅後などにおいてギフト用カタログの掲載品の中から所望の商品を選択し、これを同カタログに添付される図示せぬ発注書に記入して指定業者に希望商品の発注を行う。斯くて、被贈呈人は希望商品を後日指定業者から受け取ることができる。尚、発注書に代えて、インターネットなどによる発注方式を採用することもできる。
【００２６】
以上、本考案について説明したが、係るギフト用カタログは上記例に限定されるものではない。例えば、カタログ本体１の表表紙２Ａに形成される開口部４において、図にはこれを矩形にした例を示したが、これは矩形に限らず丸形、楕円形、菱形などでもよく、特に婚礼関係ではハート形を好適に用いることができる。
【図面の簡単な説明】
【００２７】
【図１】本考案に係るギフト用カタログを示す斜視概略図
【図２】同ギフト用カタログの表面図
【図３】同ギフト用カタログに用いられる挨拶状の一例を示す説明図
【符号の説明】
【００２８】
１  カタログ本体
２  表紙
２Ａ  表表紙
２Ｂ  裏表紙
２Ｃ  背表紙
３  商品掲載用紙
４  開口部
５  挨拶状
５Ａ  文字列
５Ｂ  表示物
【図１】
0003101615.tif 000003
【図２】
0003101615.tif 000004
【図３】
0003101615.tif 000005